(57)【要約】      （修正有）【課題】電力を無駄に消費することなく、緊急情報を利用者に確実に報知することができるとともに、緊急情報の報知による利用者に対するストレスを軽減できる。【解決手段】ネットワーク２３０を介して受信した緊急情報を報知する報知機能を備えた通信端末装置１０において、前記通信端末装置１０を制御する制御部１００と、前記緊急情報を受信する受信部１４０と、前記緊急情報を受信したことを警報音により報知する報知部２２０と、前記警報音の音量を制御する音量制御部２１０と、を備え、前記制御部１００は、前記通信端末装置が所持されているか否かを判定し、前前記通信端末装置１０が所持されていないと判定した場合、前記音量を第１音量に設定するように前記音量制御部２１０を制御し、前記通信端末装置１０が所持されていると判定した場合、前記音量を前記第１音量よりも小さい第２音量に設定するように前記音量制御部２１０を制御する。【選択図】図１
2014045250.tif 000002
【特許請求の範囲】
【請求項１】
ネットワークを介して受信した緊急情報を報知する報知機能を備えた通信端末装置において、
前記通信端末装置を制御する制御部と、
前記緊急情報を受信する受信部と、
前記緊急情報を受信したことを警報音により報知する報知部と、
前記警報音の音量を制御する音量制御部と、
を備え、
前記制御部は、前記通信端末装置が所持されているか否かを判定し、前記通信端末装置が所持されていないと判定した場合、前記音量を第１音量に設定するように前記音量制御部を制御し、前記通信端末装置が所持されていると判定した場合、前記音量を前記第１音量よりも小さい第２音量に設定するように前記音量制御部を制御することを特徴とする通信端末装置。
【請求項２】
前記制御部は、前記通信端末装置がスタンバイ状態に設定されている場合に前記通信端末装置が所持されていないと判定し、前記スタンバイ状態に設定されていない場合に前記通信端末装置が所持されていると判定することを特徴とする請求項１記載の通信端末装置。
【請求項３】
前記制御部は、前記通信端末装置が操作されてから前記緊急情報を受信するまでの時間が所定時間以内でない場合に前記通信端末装置が所持されていないと判定し、前記時間が所定時間以内の場合に前記通信端末装置が所持されていると判定することを特徴とする請求項１記載の通信端末装置。
【請求項４】
前記通信端末装置の振動を検出する振動センサを備え、
前記制御部は、前記振動が検出されない場合に前記通信端末装置が所持されていないと判定し、前記振動が検出された場合に前記通信端末装置が所持されていると判定することを特徴とする請求項１記載の通信端末装置。
【請求項５】
前記通信端末装置の角度変化を検出する角度センサを備え、
前記制御部は、前記角度変化が検出されない場合に前記通信端末装置が所持されていないと判定し、前記角度変化が検出された場合に前記通信端末装置が所持されていると判定することを特徴とする請求項１記載の通信端末装置。
【請求項６】
人の有無を検出する人感センサを備え、
前記制御部は、前記人の有が検出されない場合に前記通信端末装置が所持されていないと判定し、前記人の有が検出された場合に前記通信端末装置が所持されていると判定することを特徴とする請求項１記載の通信端末装置。
【請求項７】
外部電源の入力状態を検出する外部電源入力状態検出部を備え、
前記制御部は、前記外部電源の入力状態に係わらず前記通信端末装置がスタンバイ状態に設定されている場合に前記通信端末装置が所持されていないと判定し、前記スタンバイ状態に設定されておらず、且つ、前記外部電源の電力が入力されていない場合に前記通信端末が所持されていると判定することを特徴とする請求項１記載の通信端末装置。
【発明の詳細な説明】
【技術分野】
【０００１】
本発明は、ネットワークを介して受信した緊急情報を報知する報知機能を備えた通信端末装置に関し、特に、緊急地震速報等の緊急情報を受信したことを警報音により利用者に報知する機能を備えた通信端末装置に関するものである。
【背景技術】
【０００２】
例えば、気象庁は、地震が発生した際、緊急地震速報を配信する。緊急地震速報は、地震の発生直後に、震源に近い地震観測装置で捉えた観測データを解析して震源の位置や地震の規模（マグニチュード）を推定し、それに基づく各地での主要動の到達時刻や震度を可及的速やかに報知するための緊急情報である。なお、緊急情報には、緊急地震速報以外に、河川の増水に関する情報や、台風情報等がある。
【０００３】
これらの緊急情報の活用技術として、例えば、下記の特許文献１（特開２００８−１１７１６６号公報）には、気象庁から配信される緊急地震速報を基地局で受信して編集し、各報知装置に配信することにより、報知装置のそれぞれの場所での予測震度や到達猶予時間等を音声及び表示情報として利用者に提供するようにした技術が開示されている。
【先行技術文献】
【特許文献】
【０００４】
【特許文献１】特開２００８−１１７１６６号公報（段落［００６０］）
【発明の概要】
【発明が解決しようとする課題】
【０００５】
ところで、このような緊急情報を、携帯電話や携帯情報端末（ＰＤＡ）等の通信機能を備えた通信端末装置（タブレット端末）で受信して報知する際、通信端末装置の使用状況に関わらず、無条件に最大音量で報知を行うと、利用者のストレスを助長してしまう問題がある。
【０００６】
例えば、携帯電話を所持し、公共交通機関を利用して移動しているような場合、緊迫感を伴う緊急情報が最大音量で報知されると、パニック状態となり、携帯電話を取り落してしまうといった事態に至るおそれもある。また、心臓疾患等を抱えている利用者のような場合、緊急情報が突如最大音量で報知されると、心身に重大な問題を引き起こしかねない。
【０００７】
そこで、緊急情報の報知音量を小さく設定することが考えられる。しかしながら、このようなタブレット端末は、例えば、寝室や居間等に設置して所望の写真を表示させるデジタルフォトフレームとして利用される場合もあり、このような利用形態では、利用者が常時タブレット端末の近傍にいるとは限らない。そのため、緊急情報の報知音量が小さいと、利用者が緊急情報に気付かないこともあり得る。
【０００８】
本発明は、上記の問題点を解消することを課題とするものであり、電力を無駄に消費することなく、緊急情報を利用者に確実に報知できるとともに、緊急情報の報知による利用者に対するストレスを軽減できる通信端末装置を提供することを目的とするものである。
【課題を解決するための手段】
【０００９】
前記課題を解決するために、本願の請求項１に係る発明は、ネットワークを介して受信
した緊急情報を報知する報知機能を備えた通信端末装置において、前記通信端末装置を制御する制御部と、前記緊急情報を受信する受信部と、前記緊急情報を受信したことを警報音により報知する報知部と、前記警報音の音量を制御する音量制御部と、を備え、前記制御部は、前記通信端末装置が所持されているか否かを判定し、前記通信端末装置が所持されていないと判定した場合、前記音量を第１音量に設定するように前記音量制御部を制御し、前記通信端末装置が所持されていると判定した場合、前記音量を前記第１音量よりも小さい第２音量に設定するように前記音量制御部を制御することを特徴とする。
【００１０】
また、本願の請求項２に係る発明は、請求項１に係る通信端末装置において、前記制御部は、前記通信端末装置がスタンバイ状態に設定されている場合に前記通信端末装置が所持されていないと判定し、前記スタンバイ状態に設定されていない場合に前記通信端末装置が所持されていると判定することを特徴とする。
【００１１】
また、本願の請求項３に係る発明は、請求項１に係る通信端末装置において、前記制御部は、前記通信端末装置が操作されてから前記緊急情報を受信するまでの時間が所定時間以内でない場合に前記通信端末装置が所持されていないと判定し、前記時間が所定時間以内の場合に前記通信端末装置が所持されていると判定することを特徴とする。
【００１２】
また、本願の請求項４に係る発明は、請求項１に係る通信端末装置において、前記通信端末装置の振動を検出する振動センサを備え、前記制御部は、前記振動が検出されない場合に前記通信端末装置が所持されていないと判定し、前記振動が検出された場合に前記通信端末装置が所持されていると判定することを特徴とする。
【００１３】
また、本願の請求項５に係る発明は、請求項１に係る通信端末装置において、前記通信端末装置の角度変化を検出する角度センサを備え、前記制御部は、前記角度変化が検出されない場合に前記通信端末装置が所持されていないと判定し、前記角度変化が検出された場合に前記通信端末装置が所持されていると判定することを特徴とする。
【００１４】
また、本願の請求項６に係る発明は、請求項１に係る通信端末装置において、人の有無を検出する人感センサを備え、前記制御部は、前記人の有が検出されない場合に前記通信端末装置が所持されていないと判定し、前記人の有が検出された場合に前記通信端末装置が所持されていると判定することを特徴とする。
【００１５】
また、本願の請求項７に係る発明は、請求項１に係る通信端末装置において、外部電源の入力状態を検出する外部電源入力状態検出部を備え、前記制御部は、前記外部電源の入力状態に係わらず前記通信端末装置がスタンバイ状態に設定されている場合に前記通信端末装置が所持されていないと判定し、前記スタンバイ状態に設定されておらず、且つ、前記外部電源の電力が入力されていない場合に前記通信端末が所持されていると判定することを特徴とする。
【発明の効果】
【００１６】
請求項１に係る発明においては、ネットワークを介して受信した緊急情報を報知する報知機能を備えた通信端末装置において、前記通信端末装置を制御する制御部と、前記緊急情報を受信する受信部と、前記緊急情報を受信したことを警報音により報知する報知部と、前記警報音の音量を制御する音量制御部と、を備え、前記制御部は、前記通信端末装置が所持されているか否かを判定し、前記通信端末装置が所持されていないと判定した場合、前記音量を第１音量に設定するように前記音量制御部を制御し、前記通信端末装置が所持されていると判定した場合、前記音量を前記第１音量よりも小さい第２音量に設定するように前記音量制御部を制御する。
【００１７】
このような構成によれば、利用者が通信端末装置を所持していないと判定された場合、緊急情報を大きな音量で利用者に報知することにより、利用者は、緊急情報を確実に取得することができる。この場合、利用者は、通信端末装置を所持していないので、大きな音量であっても、それによる過大なストレスを受けることがない。また、利用者が通信端末装置を所持していると判定された場合、緊急情報を小さな音量で利用者に報知することにより、緊迫感のある緊急情報による過大なストレスを受けることがない。さらに、音量が小さいため、緊急情報の報知による電力の消費も必要最小限に抑制される。
【００１８】
また、請求項２に係る発明においては、請求項１に係る通信端末装置において、前記制御部は、前記通信端末装置がスタンバイ状態に設定されている場合に前記通信端末装置が所持されていないと判定し、前記スタンバイ状態に設定されていない場合に前記通信端末装置が所持されていると判定する。
【００１９】
このような構成によれば、利用者が通信端末装置を所持しているか否かをスタンバイ状態から判定して、警報音の音量を制御することができる。
【００２０】
また、請求項３に係る発明においては、請求項１に係る通信端末装置において、前記制御部は、前記通信端末装置がスタンバイ状態に設定されている場合に前記通信端末装置が所持されていないと判定し、前記スタンバイ状態に設定されていない場合に前記通信端末装置が所持されていると判定する。
【００２１】
このような構成によれば、利用者が通信端末装置を所持しているか否かを通信端末装置の操作状態から判定して、警報音の音量を制御することができる。
【００２２】
また、請求項４又は５に係る発明においては、請求項１に係る通信端末装置において、通信端末装置の振動又は角度変化が検出されない場合に前記通信端末装置が所持されていないと判定し、前記振動又は角度変化が検出された場合に前記通信端末装置が所持されていると判定する。
【００２３】
このような構成によれば、利用者が通信端末装置を所持しているか否かを通信端末装置の振動又は角度変化の有無から判定して、警報音の音量を制御することができる。
【００２４】
また、請求項６に係る発明においては、請求項１に係る通信端末装置において、人の有無を検出する人感センサを備え、前記制御部は、前記人の有が検出されない場合に前記通信端末装置が所持されていないと判定し、前記人の有が検出された場合に前記通信端末装置が所持されていると判定する。
【００２５】
このような構成によれば、利用者が通信端末装置を所持しているか否かを人の有無から判定して、警報音の音量を制御することができる。
【００２６】
また、請求項７に係る発明においては、請求項１に係る通信端末装置において、外部電源の入力状態を検出する外部電源入力状態検出部を備え、前記制御部は、前記外部電源の入力状態に係わらず前記通信端末装置がスタンバイ状態に設定されている場合に前記通信端末装置が所持されていないと判定し、前記スタンバイ状態に設定されておらず、且つ、前記外部電源の電力が入力されていない場合に前記通信端末が所持されていると判定する。
【００２７】
このような構成によれば、利用者が通信端末装置を所持しているか否かをスタンバイ状態と外部電源の入力の有無とから正確に判定して、警報音の音量を制御することができる。
【図面の簡単な説明】
【００２８】
【図１】本発明の実施例に係る通信端末装置の構成を示すブロック図である。
【図２】本発明の実施例１に係る通信端末装置の処理手順を示すフローチャートである。
【図３】本発明の実施例２に係る通信端末装置の処理手順を示すフローチャートである。
【図４】本発明の実施例３に係る通信端末装置の処理手順を示すフローチャートである。
【図５】本発明の実施例４に係る通信端末装置の処理手順を示すフローチャートである。
【図６】本発明の実施例５に係る通信端末装置の処理手順を示すフローチャートである。
【発明を実施するための形態】
【００２９】
以下、本発明の具体例を実施例及び図面を用いて詳細に説明する。但し、以下に示す実施形態は、本発明の技術的思想を具体化するための通信端末装置を例示するものであって、本発明をこの通信端末装置に特定することを意図するものではなく、特許請求の範囲に含まれるその他の実施形態の通信端末装置にも等しく適応し得るものである。
【実施例】
【００３０】
まず、図１を参照して、本実施形態の通信端末装置の一例としてのタブレット型コンピュータについて説明する。図１は、本実施形態のタブレット型コンピュータ１０の内部ブロック図である。なお、タブレット型コンピュータ１０は、例えば、携帯情報端末装置や携帯電話などの通信端末装置であってもよい。
【００３１】
本実施例のタブレット型コンピュータ１０は、制御部１００、外部電源入力部１１０、外部電源入力状態検出部１２０、二次電池１３０、無線通信部１４０（受信部）、カメラ１５０、振動センサ１６０、角度センサ１７０、人感センサ１８０、入力部１９０、表示部２００、アンプ２１０（音量制御部）及びスピーカ２２０（報知部）を備えて構成される。また、無線通信部１４０には、ネットワーク２３０を介して緊急情報配信サーバ２４０が接続される。
【００３２】
制御部１００は、ＣＰＵ１０１、ＲＡＭ１０２及びＲＯＭ１０３を備えて構成されるマイクロプロセッサであり、ＲＯＭ１０３に記憶されたプログラムをＣＰＵ１０１において実行することによって、タブレット型コンピュータ１０の各機能の動作を制御・統括する。
【００３３】
外部電源入力部１１０は、電源コード接続用コネクタ、電圧制御回路、充電制御回路（図示せず）等を備えて構成される。電源コード接続用コネクタは、タブレット型コンピュータ１０のハウジングの側面の一つに形成され、ここに電源コードプラグが接続される。電源コードプラグが電源コード接続用コネクタに接続されると、商用電源から変圧器等を介して所定電圧に降圧された直流電力がタブレット型コンピュータ１０に供給される。電圧制御回路は、供給された電力の電圧を一定値に調節し、タブレット型コンピュータ１０の各部に継続的に電力を供給する。
【００３４】
外部電源入力状態検出部１２０は、外部電源入力部１１０の電源コード接続用コネクタに電源コードプラグが接続されているか否かを検出し、その検出結果を制御部１００に出力する。外部電源入力状態検出部１２０は、外部電源入力部１１０に電源コードプラグが接続されており、後述する二次電池１３０が満充電状態でない場合には、所定電圧又は所
定電流の電力を二次電池１３０に供給して充電する。また、二次電池１３０が満充電状態になった場合には、二次電池１３０に対する充電を終了する。また、充電制御回路は、電源コード接続用コネクタに電源コードプラグが接続されていない場合に、二次電池１３０に充電されている電力を電圧制御回路に供給することにより、タブレット型コンピュータ１０の各部に電力を供給する制御を行う。
【００３５】
二次電池１３０は、タブレット型コンピュータ１０のハウジング内に電池パックの形態で収容される。二次電池１３０は、例えば、リチウムイオン二次電池である。
【００３６】
無線通信部１４０は、ネットワーク２３０を介してアクセスポイントとの間で通信を行うためのものである。無線通信部１４０は、タブレット型コンピュータ１０がアクセスポイントとの間で通信を行う際に、通信セッションの確立、切断を含む制御を行う。また、送信するデータがある場合には、データを符号化した後にパケット化し、所定周波数の無線を使用してアクセスポイントに対して送信を行う。また、アクセスポイントからデータを受信した場合には、パケットを組立てた後に復号化を行い、受信すべきデータを取得し、制御部１００のＲＡＭ１０３に記憶する。
【００３７】
本実施例では、アクセスポイントとして緊急情報配信サーバ２４０が接続されている。緊急情報配信サーバ２４０は、気象庁のサーバに接続されており、気象庁から配信される緊急情報、例えば、緊急地震速報、河川の増水に関する情報、台風情報等を受信し、ネットワーク２３０を介してタブレット型コンピュータ１０に配信する。
【００３８】
カメラ１５０は、タブレット型コンピュータ１０の後述する表示部２００が設けられている面と同じ側に設けられる内蔵式カメラであり、利用者が表示部２００を操作する際に、利用者の状態を撮影することができる。
【００３９】
振動センサ１６０は、加速度センサによって構成され、タブレット型コンピュータ１０に加わる加速度を計測する。制御部１１０は、例えば、タブレット型コンピュータ１０に加わる重力加速度の変化を検出し、タブレット型コンピュータ１０がどのような向きにあるのかを判定し、それに合わせて表示部２００に表示する画像の向きを制御することができる。
【００４０】
角度センサ１７０は、角加速度センサによって構成され、タブレット型コンピュータ１０の単位時間当たりの回転角の変化を検出する。検出された回転角の変化は、カメラ１５０の手振れ検出等に使用することができる。
【００４１】
人感センサ１８０は、例えば、温度センサによって構成され、温度変化を検出することにより、タブレット型コンピュータ１０の近傍の人の有無を検出する。
【００４２】
入力部１９０は、タッチパネル１９１及びハードキー１９２により構成される。タッチパネル１９１は、表示部２００の表面に設けられる。タッチパネル１９１は、利用者が表示部２００に表示されたソフトキーを視認しながらタッチパネル１９１の特定部位に手指やスタイラスによる接触を行った場合に、接触を検出した位置情報を出力する。ハードキー１９２は、タブレット型コンピュータ１０のハウジングに設けられる押しボタンスイッチ等の機械的なスイッチであり、電源のオン／オフ、表示部２００のオン／オフ等の操作を行うために用いられる。
【００４３】
表示部２００は、タブレット型コンピュータ１０の一方の面の大半を占める位置に設けられており、液晶パネルユニット又は有機ＥＬパネルユニット等で構成されている。表示部２００は、制御部１００によって生成される各種画像、ソフトキー等を表示する。
【００４４】
スピーカ２２０は、タブレット型コンピュータ１０に内蔵されており、アンプ２１０により音量制御された警報音や音声を出力する。
【００４５】
次に、図２〜図６のフローチャートに基づき、タブレット型コンピュータ１０の各実施例の処理手順を説明する。なお、図２〜図６に示す各処理は、制御部１００が備えるＲＯＭ１０２に記憶されている制御プログラムを実行することで実現される。
【００４６】
図２は、実施例１に係るタブレット型コンピュータ１０の処理手順を示すフローチャートである。
【００４７】
制御部１００は、無線通信部１４０がネットワーク２３０を介して緊急情報配信サーバ２４０より緊急情報、例えば、緊急地震情報を受信すると(ステップＳ２０１)、タブレット型コンピュータ１０がスタンバイ状態であるか否かを判定する(ステップＳ２０２)。なお、スタンバイ状態とは、無線通信部１４０による受信機能のみを起動させておき、表示部２００による画像表示を含む他の機能を停止させることにより、二次電池１３０の電力消費を必要最小限にする状態である。例えば、タブレット型コンピュータ１０を使用していない場合、利用者は、入力部１９０のタッチパネル１９１又はハードキー１９２を用いて、タブレット型コンピュータ１０をスタンバイ状態に設定することができる。
【００４８】
タブレット型コンピュータ１０がスタンバイ状態に設定されていると判定された場合(ステップＳ２０２  ＹＥＳ)、制御部１００は、アンプ２１０のゲインを最大に設定する(ステップＳ２０３)。次いで、制御部１００は、受信した緊急情報に基づき、アンプ２１０を介してスピーカ２２０を鳴動させ、緊急情報を最大音量（第１音量）で利用者に報知する(ステップＳ２０４)。
【００４９】
この場合、利用者は、タブレット型コンピュータ１０を所持しておらず、又は、タブレット型コンピュータ１０が利用者から離れた位置に置いてある可能性が高い。従って、緊急情報を最大音量で報知しても、利用者にストレスを与えるおそれは少ない。また、利用者は、タブレット型コンピュータ１０が利用者から離れた場所に置いてあっても、緊急情報を受信したことを十分に認識することができる。
【００５０】
一方、タブレット型コンピュータ１０がスタンバイ状態でないと判定された場合(ステップＳ２０２  ＮＯ)、制御部１００は、アンプ２１０のゲインを中程度の音量となる所定値に設定する(ステップＳ２０５)。次いで、制御部１００は、アンプ２１０を介してスピーカ２２０を鳴動させ、緊急情報を中程度の音量（第２音量）で利用者に報知する(ステップＳ２０４)。
【００５１】
この場合、利用者は、タブレット型コンピュータ１０を所持して使用中であり、又は、すぐに使用できる場所に置いてある可能性が高い。従って、利用者は、中程度の音量であっても、緊急情報を受信したことを十分に認識することができ、しかも、音量が中程度に設定されているため、大きなストレスを感じることがない。また、タブレット型コンピュータ１０は、必要最小限の消費電力で緊急情報を報知することができる。
【００５２】
図３は、実施例２に係るタブレット型コンピュータ１０の処理手順を示すフローチャートである。
【００５３】
制御部１００は、緊急情報を受信すると(ステップＳ３０１)、受信から所定時間前に利用者による入力操作があったか否かを判定する(ステップＳ３０２)。なお、入力操作から受信までの経過時間は、利用者が入力部１９０を操作した時点からの時間を計時すること
で得られる。
【００５４】
前回の入力操作から所定時間以上が経過していると判定された場合(ステップＳ３０２
ＮＯ)、制御部１００は、アンプ２１０のゲインを最大に設定し(ステップＳ３０３)、スピーカ２２０を鳴動させ、緊急情報を最大音量（第１音量）で利用者に報知する(ステップＳ３０４)。
【００５５】
この場合、入力操作が長時間行われていないことから、利用者は、タブレット型コンピュータ１０を所持しておらず、又は、タブレット型コンピュータ１０が利用者から離れた位置に置いてある可能性が高い。従って、実施例１の場合と同様に、緊急情報を最大音量で報知しても、利用者にストレスを与えるおそれは少ない。また、タブレット型コンピュータ１０が利用者から離れた場所に置いてあっても、緊急情報を受信したことを十分に認識することができる。
【００５６】
一方、緊急情報を受信する所定時間前に入力操作が行われていると判定された場合(ステップＳ３０２  ＹＥＳ)、制御部１００は、アンプ２１０のゲインを中程度の音量となる所定値に設定し(ステップＳ３０５)、スピーカ２２０を鳴動させ、緊急情報を中程度の音量（第２音量）で利用者に報知する(ステップＳ３０４)。
【００５７】
この場合、利用者は、タブレット型コンピュータ１０を所持して使用中であり、又は、すぐに使用できる場所に置いてある可能性が高い。従って、利用者は、中程度の音量であっても、緊急情報を受信したことを十分に認識することができ、しかも、音量が中程度に設定されているため、大きなストレスを感じることがない。また、タブレット型コンピュータ１０は、必要最小限の消費電力で緊急情報を報知することができる。
【００５８】
図４は、実施例３に係るタブレット型コンピュータ１０の処理手順を示すフローチャートである。
【００５９】
制御部１００は、緊急情報を受信すると(ステップＳ４０１)、振動センサ１６０から振動の検出信号を取得し、又は、角度センサ１７０から角度変化の検出信号を取得し、振動の有無又は角度変化の有無を判定する(ステップＳ４０２)。
【００６０】
振動又は角度変化が検出されない場合(ステップＳ４０２  ＮＯ)、制御部１００は、アンプ２１０のゲインを最大に設定し(ステップＳ４０３)、スピーカ２２０を鳴動させ、緊急情報を最大音量（第１音量）で利用者に報知する(ステップＳ４０４)。
【００６１】
この場合、タブレット型コンピュータ１０が振動しておらず、又は、角度変化がないことから、利用者は、タブレット型コンピュータ１０を所持していないと判断することができる。従って、緊急情報を最大音量で報知しても、利用者にストレスを与えるおそれは少ない。また、利用者は、タブレット型コンピュータ１０が利用者から離れた場所に置いてあっても、緊急情報を受信したことを十分に認識することができる。
【００６２】
一方、タブレット型コンピュータ１０の振動又は角度変化が検出された場合(ステップＳ４０２  ＹＥＳ)、制御部１００は、アンプ２１０のゲインを中程度の音量となる所定値に設定し(ステップＳ４０５)、スピーカ２２０を鳴動させ、緊急情報を中程度の音量（第２音量）で利用者に報知する(ステップＳ４０４)。
【００６３】
この場合、利用者は、タブレット型コンピュータ１０を所持している可能性が高く、従って、利用者は、中程度の音量であっても、緊急情報を受信したことを十分に認識することができる。しかも、音量が中程度に設定されているため、大きなストレスを感じること
がない。また、タブレット型コンピュータ１０は、必要最小限の消費電力で緊急情報を報知することができる。
【００６４】
図５は、実施例４に係るタブレット型コンピュータ１０の処理手順を示すフローチャートである。
【００６５】
制御部１００は、緊急情報を受信すると(ステップＳ５０１)、人感センサ１８０から検出信号を取得し、タブレット型コンピュータ１０を利用者が所持しているか否かを判定する(ステップＳ５０２)。
【００６６】
人が検出されない場合(ステップＳ５０２  ＮＯ)、制御部１００は、アンプ２１０のゲインを最大に設定し(ステップＳ５０３)、スピーカ２２０を鳴動させ、緊急情報を最大音量（第１音量）で利用者に報知する(ステップＳ５０４)。
【００６７】
この場合、人感センサ１８０が利用者を検出していないため、利用者がタブレット型コンピュータ１０を所持していないと判断することができる。従って、緊急情報を最大音量で報知しても、利用者にストレスを与えるおそれは少ない。また、タブレット型コンピュータ１０が利用者から離れた場所に置いてあっても、緊急情報を受信したことを十分に認識することができる。
【００６８】
一方、人感センサ１８０により人が検出された場合(ステップＳ５０２  ＹＥＳ)、制御部１００は、アンプ２１０のゲインを中程度の音量となる所定値に設定し(ステップＳ５０５)、スピーカ２２０を鳴動させ、緊急情報を中程度の音量（第２音量）で利用者に報知する(ステップＳ５０４)。
【００６９】
この場合、利用者は、タブレット型コンピュータ１０を所持しており、従って、利用者は、中程度の音量であっても、緊急情報を受信したことを十分に認識することができる。しかも、音量が中程度に設定されているため、大きなストレスを感じることがない。また、タブレット型コンピュータ１０は、必要最小限の消費電力で緊急情報を報知することができる。
【００７０】
図６は、実施例５に係るタブレット型コンピュータ１０の処理手順を示すフローチャートである。
【００７１】
制御部１００は、緊急情報を受信すると(ステップＳ６０１)、タブレット型コンピュータ１０がスタンバイ状態であるか否かを判定する(ステップＳ６０２)。
【００７２】
タブレット型コンピュータ１０がスタンバイ状態に設定されていると判定された場合(ステップＳ６０２  ＹＥＳ)、制御部１００は、アンプ２１０のゲインを最大に設定し(ステップＳ６０３)、スピーカ２２０を鳴動させ、緊急情報を最大音量（第１音量）で利用者に報知する(ステップＳ６０４)。
【００７３】
この場合、利用者は、タブレット型コンピュータ１０を所持しておらず、又は、タブレット型コンピュータ１０が利用者から離れた位置に置いてある可能性が高い。従って、実施例１の場合と同様に、緊急情報を最大音量で報知しても、利用者にストレスを与えるおそれは少ない。また、利用者は、タブレット型コンピュータ１０が利用者から離れた場所に置いてあっても、緊急情報を受信したことを十分に認識することができる。
【００７４】
一方、タブレット型コンピュータ１０がスタンバイ状態ではないと判定された場合(ステップＳ６０２  ＮＯ)、制御部１００は、タブレット型コンピュータ１０に外部電源よ
り電力が供給されている状態であるか否かを判定する(ステップＳ６０５)。この判定は、外部電源入力状態検出部１２０により行うことができる。すなわち、外部電源入力状態検出部１２０は、外部電源入力部１１０の電源コード接続用コネクタに電源コードプラグが接続されているか否かを検出し、電源コードプラグが接続されている場合、接続状態検出信号を制御部１００に出力する。
【００７５】
スタンバイ状態でなく(ステップＳ６０２  ＮＯ)、且つ、外部電源より電力が供給されていることが検出された場合(ステップＳ６０５  ＹＥＳ)、制御部１００は、アンプ２１０のゲインを最大に設定し(ステップＳ６０３)、スピーカ２２０を鳴動させ、緊急情報を最大音量（第１音量）で利用者に報知する(ステップＳ６０５)。
【００７６】
この場合、タブレット型コンピュータ１０は、スタンバイ状態に設定されておらず、外部電源が接続されて表示部１３０を含む各機能が作動している状態になっている。この状態は、例えば、利用者がタブレット型コンピュータ１０を寝室や居間等に設置し、表示部１３０に所望の写真を表示させるデジタルフォトフレームとして利用している場合などが想定される。従って、利用者は、タブレット型コンピュータ１０を所持しておらず、また、タブレット型コンピュータ１０は、利用者からある程度離れた場所にあるため、緊急情報を最大音量で報知しても、利用者にストレスを与えるおそれは少ない。また、利用者は、タブレット型コンピュータ１０が利用者から離れた場所に置いてあっても、緊急情報を受信したことを十分に認識することができる。
【００７７】
また、スタンバイ状態でなく(ステップＳ６０２  ＮＯ)、且つ、外部電源より電力が供給されていない場合には(ステップＳ６０５  ＮＯ)、制御部１００は、アンプ２１０のゲインを中程度の音量となる所定値に設定し(ステップＳ６０６)、スピーカ２２０を鳴動させ、緊急情報を中程度の音量（第２音量）で利用者に報知する(ステップＳ６０５)。
【００７８】
この場合、利用者は、タブレット型コンピュータ１０を所持して使用している可能性が高く、従って、利用者は、中程度の音量であっても、緊急情報を受信したことを十分に認識することができる。しかも、音量が中程度に設定されているため、大きなストレスを感じることがない。また、タブレット型コンピュータ１０は、必要最小限の消費電力で緊急情報を報知することができる。
【００７９】
なお、本発明は、上述した実施例に限定されるものではなく、本発明の要旨を逸脱しない範囲で変更することが可能である。
【符号の説明】
【００８０】
１０      タブレット型コンピュータ（通信端末装置）
１００    制御部
１０１    ＣＰＵ
１０２    ＲＯＭ
１０３    ＲＡＭ
１１０    外部電源入力部
１２０    外部電源入力状態検出部
１３０    二次電池
１４０    無線通信部
１５０    カメラ
１６０    振動センサ
１７０    角度センサ
１８０    人感センサ
１９０    入力部
１９１    タッチパネル部
１９２    ハードキー
２００    表示部
２１０    アンプ
２２０    スピーカ
２３０    ネットワーク
２４０    緊急情報配信サーバ
【図１】
2014045250.tif 000003
【図２】
2014045250.tif 000004
【図３】
2014045250.tif 000005
【図４】
2014045250.tif 000006
【図５】
2014045250.tif 000007
【図６】
2014045250.tif 000008